(57)【特許請求の範囲】
【請求項１】
揮散性薬剤を内部に充填した容器と、前記容器に前記薬剤の透過量を制御する透過量制御膜を配した開口部を設け、前記透過量制御膜の外表面に可動式シャッター機構が配設され、前記可動式シャッター機構が少なくとも一対の形状記憶線バネあるいは一対の形状記憶板バネと、一対の線バネあるいは一対の板バネと、可動シャッター部とで構成され、前記一対の形状記憶線バネあるいは一対の形状記憶板バネと、一対の線バネあるいは一対の板バネとが平行関係にある揮散性薬剤徐放装置であって、
前記可動式シャッター機構は、前記透過量制御膜面と平行関係に一対の固定支持軸と一対の可動支持軸が配設され、前記可動支持軸に前記可動シャッター部が固定支持され、前記可動支持軸が前記透過量制御膜面に対して前記固定支持軸の内側に位置し、前記形状記憶線バネあるいは前記形状記憶板バネは前記透過量制御膜面に対して前記固定支持軸の下方、前記可動支持軸の上方となるように配置され、前記線バネあるいは前記板バネは前記固定支持軸の上方、前記可動支持軸の下方となるように配置され、所定の温度以上では前記線バネあるいは前記板バネと前記形状記憶線バネあるいは前記形状記憶板バネの作用によって前記可動シャッター部が上から下方向へ動作することで、開から閉状態となる機構であることを特徴とする揮散性薬剤徐放装置。
【請求項２】
揮散性薬剤を内部に充填した容器と、前記容器に前記薬剤の透過量を制御する透過量制御膜を配した開口部を設け、前記透過量制御膜の外表面に可動式シャッター機構が配設され、前記可動式シャッター機構が少なくとも一対の形状記憶線バネあるいは一対の形状記憶板バネと、一対の線バネあるいは一対の板バネと、可動シャッター部とで構成され、前記一対の形状記憶線バネあるいは一対の形状記憶板バネと、一対の線バネあるいは一対の板バネとが平行関係にある揮散性薬剤徐放装置であって、
前記可動式シャッター機構は、前記透過量制御膜面と平行関係に一対の固定支持軸と一対の可動支持軸が配設され、前記可動支持軸に前記可動シャッター部が固定支持され、前記可動支持軸が前記透過量制御膜面に対して前記固定支持軸の内側に位置し、前記形状記憶線バネは前記固定支持軸の上方、前記可動支持軸の下方となるように配置され、前記線バネあるいは前記板バネは前記透過量制御膜面に対して前記固定支持軸の下方、前記可動支持軸の上方となるように配置され、所定の温度以上では前記線バネあるいは前記板バネと前記形状記憶線バネあるいは前記形状記憶板バネの作用によって前記可動シャッター部が下から上方向へ動作することで、開から閉状態となる機構であることを特徴とする揮散性薬剤徐放装置。
【請求項３】
揮散性薬剤を内部に充填した容器と、前記容器に前記薬剤の透過量を制御する透過量制御膜を配した開口部を設け、前記透過量制御膜の外表面に可動式シャッター機構が配設され、前記可動式シャッター機構が少なくとも一対の形状記憶線バネあるいは一対の形状記憶板バネと、一対の線バネあるいは一対の板バネと、可動シャッター部とで構成され、前記一対の形状記憶線バネあるいは一対の形状記憶板バネと、一対の線バネあるいは一対の板バネとが平行関係にある揮散性薬剤徐放装置であって、
前記可動式シャッター機構は、前記透過量制御膜面と垂直関係に一対の固定支持軸と一対の可動支持軸が配設され、前記可動支持軸は連結軸を介して前記可動シャッター部に固定支持され、前記可動支持軸が前記透過量制御膜面に対して前記固定支持軸の内側に位置し、前記形状記憶線バネあるいは前記形状記憶板バネは前記固定支持軸の右側、前記可動支持軸の左側となるように配置され、前記線バネあるいは前記板バネは前記固定支持軸の左側、前記可動支持軸の右側となるように配置される、または前記形状記憶線バネあるいは前記形状記憶板バネは前記固定支持軸の左側、前記可動支持軸の右側となるように配置され、前記線バネあるいは前記板バネは前記固定支持軸の右側、前記可動支持軸の左側となるように配置され、所定の温度以上では前記線バネあるいは前記板バネと前記形状記憶線バネあるいは前記形状記憶板バネの作用によって前記可動シャッター部が右から左方向へ、あるいは左から右方向へ動作することで、開から閉状態となる機構であることを特徴とする揮散性薬剤徐放装置。
【請求項４】
可動シャッター部と開口部との間、あるいは可動シャッター部と透過量制御膜との間に固定シャッター部が配設され、前記固定シャッター部と前記可動シャッター部には共に複数の開口窓が配設され、前記可動シャッター部の開口窓部分が上下方向あるいは左右方向へ動作することによって開閉状態となることを特徴とする請求項１〜３のいずれかに記載の揮散性薬剤徐放装置。
【請求項５】
可動支持軸が、線バネあるいは板バネと形状記憶線バネあるいは形状記憶板バネと接する部分に凹部を設けられていることを特徴とする請求項１〜４のいずれかに記載の揮散性薬剤徐放装置。
【請求項６】
可動シャッター部の端部に支持部が配設され、形状記憶線バネあるいは形状記憶板バネと線バネあるいは板バネの作用によって前記可動シャッター部が動作する時の移動距離を規制する構成であることを特徴とする請求項３に記載の揮散性薬剤徐放装置。
【請求項７】
可動シャッター部に開口窓が等間隔で設けられ、前記開口窓の間隔巾が前記固定シャッター部に設けられた開口窓よりも大きいことを特徴とする請求項４に記載の揮散性薬剤徐放装置。
【請求項８】
透過量制御膜が湿度感受性膜であることを特徴とする請求項１〜７のいずれかに記載の揮散性薬剤徐放装置。
【請求項９】
薬剤がアリルイソチオシアネート、ティーツリー油、ユーカリ油であることを特徴とする請求項１〜８のいずれかに記載の揮散性薬剤徐放装置。
【請求項１０】
湿度感受性膜がビスコース加工紙を含んでなるラミネート構造であることを特徴とする請求項８のいずれかに記載の揮散性薬剤徐放装置。
【請求項１１】
形状記憶線バネあるいは形状記憶板バネのバネ特性が母相とＲ相との繰り返し変態によって制御されることを特徴とする請求項１〜１０のいずれかに記載の揮散性薬剤徐放装置。
【発明の詳細な説明】
【０００１】
【発明の属する技術分野】
本発明は、揮散性薬剤を温度あるいは湿度変化によって徐放させる揮散性薬剤徐放装置に関するものであり、温度変動あるいは湿度変動に伴って、揮散性薬剤を徐放させるとともに必要以上の薬剤放出を防止したいような分野には広く適用できる。たとえば防カビ、抗菌性を有する薬剤を必要量放出してカビ、菌が繁殖することを防止したい空気調和装置のような分野には広く適用可能である。
【０００２】
【従来の技術】
充填された揮散性薬剤のものを長期間にわたって徐放させるための技術は種々雑多と提案されている。一般的には多孔性の材料物質中に含浸させて毛細管現象によって徐々に揮散させる方法である。その多孔性物質とはゼオライト、シルカゲルのような無機化合物であったり、ポリプロピレン、ポリエステル、セルロースの発泡体あるいは繊維束であったりしていた。さらにシクロデキストリンと呼ばれる有機物の小さな孔に包接させて徐放させるような方法も特開平５−１７６７３３号、特開平６−４０８９０号公報に提案されている。またマイクロカプセル化して徐放性を具現化する方法も特開平６−９３７７号、特開平６−６５０６４号、特開平７−８９８４８号、特開平９−９１１号、特開平９−１２４４７号、特開平９−５７０９１号公報等で提案されている。
【０００３】
また我々は薬剤を容器内部へ充填したものを透過量制御膜あるいは湿度感受性膜で徐放させる揮散性薬剤徐放部材を提案してきた。
【０００４】
【発明が解決しようとする課題】
しかしながら、上記従来の構成では外部環境からの影響を受けて、揮散性薬剤徐放部材が過度な温度上昇した時に透過量制御膜だけでは揮散性薬剤の放出量を抑えることができなかった。そのため不必要な薬剤放出となったり、薬剤の放出量過多によって利用者に不快感を与える結果となっていた。
【０００５】
本発明は、このような従来の課題に対して、所定の温度以上では強制的に薬剤の放出を抑制することで不必要な薬剤放出を防止し、利用者が安心して使用できる揮散性薬剤徐放装置を提供するものである。
【０００６】
【課題を解決するための手段】
上記課題に対して、揮散性薬剤を内部に充填した容器と、前記容器に前記薬剤の透過量を制御する透過量制御膜を配した開口部を設け、前記透過量制御膜の外表面に可動式シャッター機構が配設され、前記可動式シャッター機構が少なくとも一対の形状記憶線バネあるいは一対の形状記憶板バネと、一対の線バネあるいは一対の板バネと、可動シャッター部とで構成され、前記一対の形状記憶線バネあるいは一対の形状記憶板バネと、一対の線バネあるいは一対の板バネとが平行関係にある揮散性薬剤徐放装置であって、
前記可動式シャッター機構は、前記透過量制御膜面と平行関係に一対の固定支持軸と一対の可動支持軸が配設され、前記可動支持軸に前記可動シャッター部が固定支持され、前記可動支持軸が前記透過量制御膜面に対して前記固定支持軸の内側に位置し、前記形状記憶線バネあるいは前記形状記憶板バネは前記透過量制御膜面に対して前記固定支持軸の下方、前記可動支持軸の上方となるように配置され、前記線バネあるいは前記板バネは前記固定支持軸の上方、前記可動支持軸の下方となるように配置され、所定の温度以上では前記線バネあるいは前記板バネと前記形状記憶線バネあるいは前記形状記憶板バネの作用によって前記可動シャッター部が上から下方向へ動作することで、開から閉状態となる機構であることで構成される揮散性薬剤徐放装置である。
【０００７】
上記構成により、所定の温度以下では線バネあるいは板バネのバネ力が形状記憶線バネあるいは形状記憶板バネのバネ力より勝り、所定の温度以上では形状記憶線バネ力あるいは形状記憶板バネのバネ力が線バネあるいは板バネのバネ力より勝るように構成することで、形状記憶線バネあるいは形状記憶板バネと、線バネあるいは板バネと、可動シャッター部とで構成される可動式シャッター機構とすることが可能となる。その結果内部に防カビ性、芳香性等を有する揮散性薬剤を充填した容器から薬剤の必要な時に必要量を徐放させる有効な活用が図れ、薬剤の長寿命化に貢献できる。また不必要な薬剤放出によって利用者へ不快感を与えるようなこともない。
【０００８】
【発明の実施の形態】
請求項１記載の発明は、揮散性薬剤を内部に充填した容器と、前記容器に前記薬剤の透過量を制御する透過量制御膜を配した開口部を設け、前記透過量制御膜の外表面に可動式シャッター機構が配設され、前記可動式シャッター機構が少なくとも一対の形状記憶線バネあるいは一対の形状記憶板バネと、一対の線バネあるいは一対の板バネと、可動シャッター部とで構成され、前記一対の形状記憶線バネあるいは一対の形状記憶板バネと、一対の線バネあるいは一対の板バネとが平行関係にある揮散性薬剤徐放装置であって、
前記可動式シャッター機構は、前記透過量制御膜面と平行関係に一対の固定支持軸と一対の可動支持軸が配設され、前記可動支持軸に前記可動シャッター部が固定支持され、前記可動支持軸が前記透過量制御膜面に対して前記固定支持軸の内側に位置し、前記形状記憶線バネあるいは前記形状記憶板バネは前記透過量制御膜面に対して前記固定支持軸の下方、前記可動支持軸の上方となるように配置され、前記線バネあるいは前記板バネは前記固定支持軸の上方、前記可動支持軸の下方となるように配置され、所定の温度以上では前記線バネあるいは前記板バネと前記形状記憶線バネあるいは前記形状記憶板バネの作用によって前記可動シャッター部が上から下方向へ動作することで、開から閉状態となる機構であることを特徴とする揮散性薬剤徐放装置である。
【００１１】
請求項２記載の発明は、可動式シャッター機構は、透過量制御膜面と平行関係に一対の固定支持軸と一対の可動支持軸が配設され、前記可動支持軸に可動シャッター部が固定支持され、前記可動支持軸が前記透過量制御膜面に対して前記固定支持軸の内側に位置し、形状記憶線バネあるいは形状記憶板バネは前記透過量制御膜面に対して固定支持軸の下方、可動支持軸の上方となるように配置され、線バネあるいは板バネは固定支持軸の上方、可動支持軸の下方となるように配置され、所定の温度以上では前記線バネあるいは板バネと前記形状記憶線バネあるいは形状記憶板バネの作用によって前記可動シャッター部が上から下方向へ動作することで、開から閉状態となる機構である揮散性薬剤徐放装置である。
【００１２】
請求項２記載の発明は、揮散性薬剤を内部に充填した容器と、前記容器に前記薬剤の透過量を制御する透過量制御膜を配した開口部を設け、前記透過量制御膜の外表面に可動式シャッター機構が配設され、前記可動式シャッター機構が少なくとも一対の形状記憶線バネあるいは一対の形状記憶板バネと、一対の線バネあるいは一対の板バネと、可動シャッター部とで構成され、前記一対の形状記憶線バネあるいは一対の形状記憶板バネと、一対の線バネあるいは一対の板バネとが平行関係にある揮散性薬剤徐放装置であって、
前記可動式シャッター機構は、前記透過量制御膜面と平行関係に一対の固定支持軸と一対の可動支持軸が配設され、前記可動支持軸に前記可動シャッター部が固定支持され、前記可動支持軸が前記透過量制御膜面に対して前記固定支持軸の内側に位置し、前記形状記憶線バネは前記固定支持軸の上方、前記可動支持軸の下方となるように配置され、前記線バネあるいは前記板バネは前記透過量制御膜面に対して前記固定支持軸の下方、前記可動支持軸の上方となるように配置され、所定の温度以上では前記線バネあるいは前記板バネと前記形状記憶線バネあるいは前記形状記憶板バネの作用によって前記可動シャッター部が下から上方向へ動作することで、開から閉状態となる機構である揮散性薬剤徐放装置である。
【００１３】
請求項３記載の発明は、揮散性薬剤を内部に充填した容器と、前記容器に前記薬剤の透過量を制御する透過量制御膜を配した開口部を設け、前記透過量制御膜の外表面に可動式シャッター機構が配設され、前記可動式シャッター機構が少なくとも一対の形状記憶線バネあるいは一対の形状記憶板バネと、一対の線バネあるいは一対の板バネと、可動シャッター部とで構成され、前記一対の形状記憶線バネあるいは一対の形状記憶板バネと、一対の線バネあるいは一対の板バネとが平行関係にある揮散性薬剤徐放装置であって、
前記可動式シャッター機構は、前記透過量制御膜面と垂直関係に一対の固定支持軸と一対の可動支持軸が配設され、前記可動支持軸は連結軸を介して前記可動シャッター部に固定支持され、前記可動支持軸が前記透過量制御膜面に対して前記固定支持軸の内側に位置し、前記形状記憶線バネあるいは前記形状記憶板バネは前記固定支持軸の右側、前記可動支持軸の左側となるように配置され、前記線バネあるいは前記板バネは前記固定支持軸の左側、前記可動支持軸の右側となるように配置される、または前記形状記憶線バネあるいは前記形状記憶板バネは前記固定支持軸の左側、前記可動支持軸の右側となるように配置され、前記線バネあるいは前記板バネは前記固定支持軸の右側、前記可動支持軸の左側となるように配置され、所定の温度以上では前記線バネあるいは前記板バネと前記形状記憶線バネあるいは前記形状記憶板バネの作用によって前記可動シャッター部が右から左方向へ、あるいは左から右方向へ動作することで、開から閉状態となる機構である揮散性薬剤徐放装置である。
【００１４】
請求項４記載の発明は、可動シャッター部と開口部との間、あるいは可動シャッター部と透過量制御膜との間に固定シャッター部が配設され、前記固定シャッター部と前記可動シャッター部には共に複数の開口窓が配設され、前記可動シャッター部の開口窓部分が上下方向あるいは左右方向へ動作することによって開閉状態となる揮散性薬剤徐放装置である。
【００１５】
請求項５記載の発明は、可動支持軸が、線バネあるいは板バネと形状記憶線バネあるいは形状記憶板バネとに接する部分に凹部が設けられている揮散性薬剤徐放装置である。
【００１６】
請求項６記載の発明は、可動シャッター部の端部に支持部が配設され、形状記憶線バネあるいは形状記憶板バネと線バネあるいは板バネの作用によって前記可動シャッター部が動作する時の移動距離を規制する構成である揮散性薬剤徐放装置である。
【００１７】
請求項７記載の発明は、可動シャッター部に開口窓が等間隔で設けられ、前記開口窓の間隔巾が前記固定シャッター部に設けられた開口窓よりも大きい揮散性薬剤徐放装置である。
【００２１】
請求項８記載の発明は、透過量制御膜が湿度感受性膜である揮散性薬剤徐放装置である。
【００２２】
請求項９記載の発明は、薬剤がアリルイソチオシアネート、ティーツリー油、ユーカリ油である揮散性薬剤徐放装置である。
【００２３】
請求項１０記載の発明は、湿度感受性膜がビスコース加工紙を含んでなるラミネート構造である揮散性薬剤徐放装置である。
【００２４】
請求項１１記載の発明は、形状記憶線バネあるいは板バネのバネ特性が母相とＲ相との繰り返し変態によって制御される揮散性薬剤徐放装置である。
【００２５】
【実施例】
以下本発明の実施例について図面を参照しながら説明する。
【００２６】
（実施例１）
図１は本実施例を示す揮散性薬剤徐放装置の上面外観図である。図２は揮散性薬剤徐放装置Ａ−Ａ´ラインに対する側面断面構成図であり、図３は揮散性薬剤徐放装置Ｂ−Ｂ´ラインに対する側面断面構成図を示し、これらは薬剤の徐放状態を表している。図４は揮散性薬剤徐放装置Ａ−Ａ´ラインに対する側面断面構成図であり、図５は揮散性薬剤徐放装置Ｂ−Ｂ´ラインに対する側面断面構成図を示し、これらは薬剤の放出抑制状態を表している。１は薬剤となるアリルイソチオシアネートを吸収して膨潤したポリウレタン連続多孔質体である。具体的には５０×３０×６mmのポリウレタン連続多孔質体、かさ密度０．３５ｇ／ml、平均気孔径３０μm、気孔率７０％にアリルイソチオシアネート３０ｇを吸収させて約７０×４２×８．４mmに膨潤した。２はポリウレタン連続多孔質体１の外装となるラミネートフィルムのピロー包装体であり、ポリエチレンテレフタレート１２μmとポリエチレン  ７０μmとのラミネートフィルムに対してポリエチレン側をヒートシール巾５mmにてピロー包装化したものであり、一次制御膜となる。３はそれを充填するための半透明なポリプロピレン、厚み２mmからなる内側本体容器であり、射出成形にて加工した。容器の内寸法は７１×４３×１５mmである。４は内側本体容器３に対する内蓋であり、これも半透明なポリプロピレン、厚み２mmからなり、内蓋４中央部には大きな窓があり、その大きな窓に対して十文字にリブ５が形成され、内蓋４の表面側中央部には６５×３７mmの湿度感受性膜６が配置され、リブ５によってポリウレタン連続多孔質体１を内側本体容器３の底面部に位置固定するとともに湿度感受性膜６に対する補強の役目を果たしている。湿度感受性膜６はビスコース加工紙をポリエチレン／延伸ポリプロピレン／ポリエチレンにラミネートしたものである。具体的にはポリエチレン  ４０μm／延伸ポリプロピレン  ６０μm／ポリエチレン  ４０μm上にレーヨン／パルプ不織布を介してビスコース膜を１０ｇ／ｍ2の塗布量で形成させたものを使用し、湿度感受性膜６の外周部は内蓋４にポリエチレン側をヒートシールで溶着接合されている。ヒートシール巾は５mmである。本体容器３と内蓋４とは超音波接合によって接合されている。７はピロー包装体２と内側本体容器３と内蓋４とで形成される空間部であり、その空間容積は約２１mlである。８は固定シャッター部となる厚み３mmのポリエチレンテレフタレート板であり、開口窓８ａが等間隔で配設され、湿度感受性膜６の上面部へ接着固定されている。また固定シャッター部８上の開口窓８ａ周囲にはガスシール部材９として独立気泡を有するポリプロピレン製パッキン巾１mm、厚み０．５mmが配設されている。１０は内側本体容器が収納される外側本体容器であり、半透明なポリプロピレン、厚み２mmからなり、射出成形にて加工した。容器の内寸法は７６×４８×２７mmである。１１は外側本体容器１０に対する外蓋であり、これも半透明なポリプロピレン、厚み２mmからなり、外蓋１１中央部には６７×３９mmの開口部１１ａが配置されている。外蓋１１と内蓋４との間に当たる外側本体容器１０の内壁面上部に固定支持軸１２が２本配設され、可動支持軸１３は線バネ１４と形状記憶線バネ１５とで挟持される構成となっている。図６���可動シャッター部、可動支持軸、固定支持軸、線バネと形状記憶線バネとの構成を示すための上面外観図を表した。また図７には可動シャッター機構をわかりやすく説明するための斜視図を示した。線バネ１４はφ１mmのＳＵＳ製であり、形状記憶線バネ１５はφ１mmのＮｉ−Ｔｉ合金製である。線バネ１４と形状記憶線バネ１５が対となって左右２箇所に配置されている。具体的には、線バネ１４は固定支持軸１２の上部、可動支持軸１３の下部となるように配置され、形状記憶線バネ１５は固定支持軸１２の下部、可動支持軸１３の上部となるように配置されている。また固定支持軸１２と可動支持軸１３の線バネ１４あるいは形状記憶線バネ１５と接する部分には溝１３ａが設けられ、線バネ１４あるいは形状記憶線バネ１５が左右方向へ位置が移動しないようになっている。図８に可動支持軸における要部拡大断面図を示した。可動支持軸１３の各側に角溝１３ａが設けられ、その角溝１３ａへ線バネ１４あるいは形状記憶線バネ１５が半ば埋設された構造となっている。２本の可動支持軸１３は可動シャッター部１６と連結されている。可動シャッター部１６は厚み１mm、６７×３４mmのアルミニウム板で構成され、可動シャッター部１６には開口窓１６ａが等間隔で配設されている。形状記憶線バネ１５の加熱時の変態終了温度は４５℃であり、冷却時の変態終了温度は３０℃である。
【００２７】
揮散性薬剤徐放装置の徐放機構について説明する。まず３０℃以下では線バネ１４のバネ力が形状記憶線バネ１５よりも勝っているため可動シャッター部１６となるアルミニウム板は図２、３で示すように固定シャッター部８となるアルミニウム板から上方向に離れた場所に位置し、可動シャッター機構の構成では図７のa状態となる。そのため可動シャッター部１６は内側本体容器３からのアリルイソチオシアネート放出を妨げない。ポリウレタン連続多孔質体１から揮散したアリルイソチオシアネート蒸気は空間部７で飽和蒸気圧濃度までに達せられる。たとえば２５℃においてアリルイソチオシアネートの蒸気圧は約５mmHgであるため、空間部７における飽和蒸気濃度は最大約６６００ppmとなる。湿度感受性膜６によって低湿度の場合にはアリルイソチオシアネートの外部への蒸気放出がある程度抑制されるため、空間部７は飽和蒸気圧濃度に近い状態のままでずっと維持される。しかし湿度感受性膜６が十分に潤うとアリルイソチオシアネート蒸気が湿度感受性膜６を透過する。湿度感受性膜６は湿度変化によって膜組織が膨潤し、緩んだ構造となり、アリルイソチオシアネート分子が透過して外部へと放出されやすくなる。その後固定シャッター部８の開口窓８ａ、可動シャッター部１６の開口窓１６ａを経て、外蓋１１の開口部１１ａから外部へ放出される。
【００２８】
しかし、４０℃過ぎ付近から形状記憶線バネ１５のマルテンサイト相から母相への変態が始まり４５℃では変態が終了して今度が形状記憶線バネ１５のバネ力が線バネ１４よりも勝るようになる。その結果可動シャッター部１７となるアルミニウム板は図４、５で示すように形状記憶バネ１５のバネ力で下方向へ押しつけられ可動シャッター部１６と固定シャッター部８とがガスシール部材９を介して密着した状態となり、可動シャッター機構の構成では図７のｂ状態となる。開口窓８ａと開口窓１６ａとは上下に互いオーバーラップしない構造とすることで内側本体容器３内部からアリルイソチオシアネート放出は完全に抑制される。
また外部環境温度が徐々に低下してき、３５℃過ぎ付近から形状記憶線バネ１５の母相からマルテンサイト相への変態が始まり３０℃では変態が終了して再度が線バネ１４のバネ力が形状記憶線バネ１５よりも勝るようになるため可動シャッター部１６が上方向へ移動して内側本体容器３からのアリルイソチオシアネートが徐放される。このように可動シャッター部１６は温度ヒステリシスを有しながら上下方向へ動作する。図９に本実施例で使用した形状記憶線バネの定荷重試験による温度−ひずみ曲線を示した。形状記憶線バネは一般に温度の昇降に対して温度ヒステリシスを有しているので、それによって目的とする薬剤徐放機能が低下しないように考慮して設計する必要があった。
【００２９】
このような構成によって、２５℃、相対湿度９５％（以下ＲＨと記す）条件にて湿度感受性膜から薬剤を３０mg／日レベルで継続して放出させる湿度対応可能な徐放特性を有するとともに、４５℃以上ではアリルイソチオシアネートの放出を完全に抑制し、３０℃以下では再度アリルイソチオシアネートの放出が可能な温度応答機能も有した揮散性薬剤徐放装置を提供できた。
【００３０】
本実施例で得られた揮散性薬剤徐放装置を自動車用カーエアコンの防カビ装置として使用した。図１０にカーエアコンの送風回路の概略図を示した。外気あるいは自動車内気はブロワーファン１７によってエバポレータ１８へと送風される。エバポレータ１８の上流側に集塵フィルター１９と揮散性薬剤徐放装置２０とが配置され、定期的に交換が可能な構成となっている。エバポレート１８の下流にヒータコア２１、エアミックスドア２２が配置され、エアミックスドア２２によってエバポレート１８の冷気とヒータコア２１の暖気との混合割合を変化させた後、センターレジスター、サイドレジスター、リアヒーターダクト、フロントデフロスター、サイドデフロスター等から冷風あるいは暖風が吹き出される。冷房時にはエバポレート１８が結露水を保持した状態で運転を停止することになる。結露水は再蒸発することによって送風回路内部の湿度を上昇させるためにカビが発生しやすい雰囲気となる。この時揮散性薬剤徐放装置によって湿度感受性膜６から低濃度のアリルイソチオシアネートを徐放することで防カビ性能を発揮できた。具体的には０．３〜１ppm程度のアリルイソチオシアネートを滞留させることによってＣｌａｄｏｓｐｏｒｉｕｍ、Ａｌｔｅｒｎａｒｉａ、Ａｓｐｅｒｇｉｌｌｕｓ、Ｐｅｎｉｃｉｌｌｉｕｍ、Ｒｈｉｚｏｐｕｓと言った一般的なカビには十分な防カビ効果を有していた。
【００３１】
また、夏場の炎天下に放置された自動車の場合、室内温度は６０℃程度まで上昇する。このような場合にも利用者に不快感を感じさせない薬剤の放出制御が必要となる。カビは一般的には４０℃以上では成長しないので、これ以上の温度域での薬剤の放出はムダである。しかし、本実施例の形状記憶線バネは約１５℃の温度ヒステリシスを有するので、温度上昇に伴う変態終了温度を４５℃とし、温度降下に伴う変態終了温度を３０℃とした。利用者が自動車を運転して冷房運転させる場合には３０℃以下には必ずなると想定されるので温度降下に伴う変態終了温度３０℃を自動車用カーエアコン用途への揮散性薬剤徐放装置設計基準とした。その結果フィールドテストにおいて定期的に吸込み経路から栄養分を与えた場合にも十分な防カビ効果が確認できた。
【００３２】
（実施例２）
図１１は本実施例を示す揮散性薬剤徐放装置の上面外観図であり、図１２は揮散性薬剤徐放装置C−Ｃ´ラインの側面断面構成図であり、図１３は揮散性薬剤徐放装置Ｄ−Ｄ´ラインに対する側面断面構成図を示し、これらは薬剤の徐放状態を表している。図１４は揮散性薬剤徐放装置C−Ｃ´ラインの側面断面構成図であり、図１５は揮散性薬剤徐放装置Ｄ−Ｄ´ラインに対する側面断面構成図を示し、これらは薬剤の放出抑制状態を表している。２３は揮散性薬剤となるアリルイソチオシアネートをセルロースエチルエーテルにて固形化したタブレットである。具体的には型容器にセルロースエチルエーテルの粉末（日新化成；エトセルＳＴＤ−１００、重量平均分子量１８万）１５ｇを入れた後、エタノール３０ｇを添加し、２時間放置した後、さらにアリルイソチオシアネート３０ｇを加えて室温状態で真空乾燥することによって、エタノールが蒸発してアリルイソチオシアネートはセルロースエチルエーテルでタブレット化された。２４はアリルイソチオシアネートの透過制御膜となるラミネートフィルム、ポリエチレンテレフタレート１２μmとポリエチレン７０μmのピロー包装体である。２５はそれを充填するための半透明なポリプロピレン、厚み２mmからなる内側本体容器であり、容器の内寸法は７１×４３×１５mmである。２６は内側本体容器２５に対する内蓋であり、これも半透明なポリプロピレン、厚み２mmからなり、内蓋２６の中央部には大きな窓があり、その大きな窓に対して十文字にリブ２７が形成され、内蓋２６の表面側中央部には６５×３７mmの湿度感受性膜２８が配置され、実施例１と同じものを使用した。２９はピロー包装体２４と内側本体容器２５と内蓋２６とで形成される空間部である。３０は内側本体容器が収納される外側本体容器であり、半透明なポリプロピレン、厚み２mmからなり、射出成形にて加工した。容器の内寸法は７６×４８×２７mmである。３１は外側本体容器３０に対する外蓋であり、これが固定シャッター部となる。半透明なポリプロピレン、厚み２mmからなり、外蓋３１には開口窓３１ａが等間隔で配設されている。また固定シャッター部となる外蓋３１下面の開口窓３１ａ周囲にはガスシール部材３２として独立気泡を有するポリエチレン製パッキン巾１mm、厚み０．５mmが配設されている。外蓋３１と内蓋２６との間に当たる外側本体容器３０の内壁面上部に固定支持軸３３が２本配設され、可動支持軸３４は線バネ３５と形状記憶線バネ３６とで挟持される構成となっている。図１６に可動シャッター部、可動支持軸、固定支持軸、線バネと形状記憶線バネとの構成を示すための上面外観図を表した。また図１７には可動シャッター機構をわかりやすく説明するための斜視図を示した。線バネ３５はφ１mmのＳＵＳ製であり、形状記憶線バネ３６はφ１mmのＮｉ−Ｔｉ合金製である。線バネ３５と形状記憶線バネ３６が対となって左右２箇所に配置されている。具体的には、線バネ３５は固定支持軸３３の下部、可動支持軸３４の上部となるように配置され、形状記憶線バネ３６は固定支持軸３３の上部、可動支持軸３４の下部となるように配置されている。また固定支持軸３３と可動支持軸３４の線バネ３５あるいは形状記憶線バネ３６と接する部分には溝３４ａが設けられ、��バネ３５あるいは形状記憶線バネ３６が左右方向へ位置が移動しないようになっている。溝３４ａの構造は実施例１と同様である。２本の可動支持軸３４が可動シャッター部３７と連結されている。可動シャッター部３７は厚み４mm、６７×３４mmのポリエチレンテレフタレート板で構成され、可動シャッター部３７には開口窓３７ａが等間隔で配設されている。形状記憶線バネ３６の加熱時の変態終了温度は４５℃であり、冷却時の変態終了温度は３０℃である。
【００３３】
揮散性薬剤徐放装置の徐放機構について説明する。まず３０℃以下では線バネ３５のバネ力が形状記憶線バネ３６よりも勝っているため可動シャッター部３７となるポリプロピレン板は図１２、１３で示すように固定シャッター部となる外蓋３１から下方向に約２mm離れた場所に位置し、可動シャッター機構の構成では図１７のｃ状態となる。そのため可動シャッター部３７は内側本体容器２５からのアリルイソチオシアネート放出を妨げない。タブレット２３から揮散したアリルイソチオシアネート蒸気は透過制御膜２４と湿度感受性膜２８で透過量を規制されながら一定量を徐放させることができた。
【００３４】
しかし、４０℃過ぎ付近から形状記憶線バネ３６の変態が始まり４５℃では変態が終了して今度が形状記憶線バネ３６のバネ力が線バネ３５よりも勝るようになる。その結果可動シャッター部３７となるポリプロピレン板は図１４、１５で示すように形状記憶線バネ３６のバネ力で上方向へ押しつけられ可動シャッター部３７と固定シャッター部となる外蓋３１とがガスシール部材３２を介して密着した状態となり、可動シャッター機構の構成では図１７のｄ状態となる。開口窓３１ａと開口窓３７ａとは上下に互いオーバーラップしない構造とすることで内側本体容器内部２５からアリルイソチオシアネート放出は完全に抑制される。
【００３５】
また外部環境温度が徐々に低下してき、３５℃過ぎ付近から形状記憶線バネ３６の変態が始まり３０℃では変態が終了して再度が線バネ３５のバネ力が形状記憶線バネ３６よりも勝るようになるため可動シャッター部３７が下方向へ移動して内側本体容器２５からのアリルイソチオシアネートが徐放される。このように可動シャッター部３７は温度ヒステリシスを有しながら上下方向へ動作する。
【００３６】
このような構成によって、２５℃、相対湿度９５％（以下ＲＨと記す）条件にて湿度感受性膜から薬剤を３０mg／日レベルで継続して放出させる湿度対応可能な徐放性を有するとともに、４５℃以上ではアリルイソチオシアネートの放出を完全に抑制し、３０℃以下では再度アリルイソチオシアネートの放出が可能な温度応答性も有した揮散性薬剤徐放装置を提供できた。
【００３７】
（実施例３）
図１８は本実施例を示す揮散性薬剤徐放装置の上面外観図であり、図１９は揮散性薬剤徐放装置E−Ｅ´ラインの側面断面構成図であり、図２０は揮散性薬剤徐放装置Ｆ−Ｆ´ラインの側面断面構成図であり、薬剤の徐放状態を表している。また図２１は本実施例を示す揮散性薬剤徐放装置の上面外観図であり、図２２は揮散性薬剤徐放装置Ｅ−Ｅ´ラインの側面断面構成図であり、図２２は揮散性薬剤徐放装置Ｆ−Ｆ´ラインの側面断面構成図であり、薬剤の放出抑制状態を表している。３８は薬剤となるアリルイソチオシアネートを吸収して膨潤したポリウレタン連続多孔質体であり、実施例１と同じものを使用した。３９はポリウレタン連続多孔質体３８の外装となるラミネートフィルムのピロー包装体であり、実施例１と同じものを使用した。４０はそれを充填するための半透明なポリプロピレン、厚み２mmからなる内側本体容器であり、射出成形にて加工した。容器の内寸法は７１×４３×１５mmである。４１は内側本体容器４０に対する内蓋であり、これも半透明なポリプロピレン、厚み２mmからなり、内蓋４１中央部には大きな窓があり、その大きな窓に対して十文字にリブ４２が形成され、内蓋４１の表面側中央部には６５×３７mmの透過制御膜４３が配置され、リブ４２によってポリウレタン連続多孔質体３８を内側本体容器４０の底面部に位置固定するとともに透過制御膜４３に対する補強の役目を果たしている。透過制御膜４３はポリエチレン４０μm ／ナイロン６ １５μm ／ポリエチレン ４０μm のラミネートフィルムである。透過制御膜４３の外周部は内蓋４１にポリエチレン側をヒートシールで溶着接合されている。ヒートシール巾は５mmである。本体容器４０と内蓋４１とは超音波接合によって接合されている。４４はピロー包装体３９と内側本体容器４０と内蓋４１とで形成される空間部である。４５は固定シャッター部となる厚み４mmのポリエチレンテレフタレート板であり、開口窓４５ａが等間隔で配設され、透過制御膜４３の上面へ接着されている。また固定シャッター部４５上の開口窓４５ａ周囲にはガスシール部材４６として超高分子量ポリエチレン製パッキン巾１mm、厚み０．５mmで配設されている。４７は内側本体容器が収納される外側本体容器であり、半透明なポリプロピレン、厚み２mmからなり、射出成形にて加工した。容器の内寸法は９３×４８×２５mmである。内側本体容器４０は外側本体容器４７の底面部で接着固定されている。４８は外側本体容器４７に対する外蓋であり、これも半透明なポリプロピレン、厚み２mmからなり、外蓋４８中央部には６７×３９mmの開口部４８ａが配置されている。４９は可動シャッター部となるアルミニウム板、厚さ０．４mmである。また可動シャッター部４９の左端には可動シャッター部の左右方向への動きを誘導するとともに移動量を規制できる支持部５０が配置されている。具体的には４７×６mm厚さ２mmのポリエチレンテレフタレート板である。右端には連結軸５１を介して可動支持軸５２に接合された支持部５３と連結されている。支持部５３も４７×６mm厚さ２mmのポリエチレンテレフタレート板である。可動支持軸５２は固定支持軸５４の内側へ配置され、固定支持軸５４は外蓋４８と垂直方向に接着固定されている。線バネ５５は固定支持軸５��の右側に位置し、可動支持軸５２の左側に位置している。また形状記憶線バネ５６は固定支持軸５４の左側に位置し、可動支持軸５２の右側に位置している。形状記憶線バネ４４の加熱時の変態終了温度は４５℃であり、冷却時の変態終了温度は３０℃である。
【００３８】
揮散性薬剤徐放装置の徐放機構について説明する。まず３０℃以下では線バネ５５のバネ力が形状記憶線バネ５６よりも勝っているため可動シャッター部４９となるアルミニウム板は図１８、図２０で示すように右側に位置している。線バネ５５と形状記憶線バネ５６の作用によって可動支持軸５２が右側に位置し、可動支持軸５２に接合された支持部５３から連結軸５１を介して可動シャッター部４９を右側へと引っ張ることになる。この時線バネ５５のバネ力によって可動シャッター部４９が引っ張られる時、支持部５０が固定シャッター部４５の側壁面に衝突して停止することで可動シャッター部４９の位置が規制されている。この時固定シャッター部４５に配設された開口窓４５ａと可動シャッター部４９に配設された開口窓４９ａとは上下に重なり合った場所に位置している。その結果内側本体容器４０からのアリルイソチオシアネート放出を妨げない。ポリウレタン連続多孔質体３８から揮散したアリルイソチオシアネート蒸気は透過制御膜３９と透過制御膜４３で透過量を規制されながら一定量を徐放させることができた。
【００３９】
しかし、４０℃過ぎ付近から形状記憶線バネ５６の変態が始まり４５℃では変態が終了して今度が形状記憶線バネ５６のバネ力が線バネ５５よりも勝るようになる。その結果可動シャッター部４９となるアルミニウム板は図２１、２３で示すように形状記憶線バネ５６のバネ力によって可動支持軸５２を左方向へ移動させる力が働く。その結果可動支持軸５２と接合された支持部５３から連結軸５１を介して可動シャッター部４９を左側へ押すことになる。この時、支持部５０が外側本体容器４７の内面側壁に衝突して停止することで可動シャッター部４９の移動位置が規制されている。この時固定シャッター部４５に配設された開口窓４５ａと可動シャッター部４９に配設された開口窓４９ａとは上下に互いオーバーラップしない構造とすることで内側本体容器４０内部からアリルイソチオシアネート放出は完全に抑制される。したがって固定シャッター部４５に配設された開口窓４５ａの横巾よりも可動シャッター部４９に配設された開口窓４９ａの間隔巾ほうが大きい関係とすることによって可動シャッター部４９の移動距離によって固定シャッター部４５に配設された開口窓４５ａが完全に封止される。
【００４０】
また外部環境温度が徐々に低下してき、３５℃過ぎ付近から形状記憶線バネ５６の変態が始まり３０℃では変態が終了して再度が線バネ５５のバネ力が形状記憶線バネ５６よりも勝るようになるため可動シャッター部４９が右から左方向へ移動して内側本体容器４０からのアリルイソチオシアネートが徐放される。このように可動シャッター部４９は温度ヒステリシスを有しながら左右方向へスライド動作するが、この時支持部５０および可動シャッター部４９の外寸法を外側本体容器４７の内壁寸法および外蓋４８の下面に対して０．５mm程度のクリアランスをとった構造とすることで可動シャッター部４９が左右にスライド移動する方向を正確に誘導させることができた。
【００４１】
このような構成によって、２５℃条件にて透過制御膜から薬剤を２０mg／日レベルで継続して放出させる徐放性を有するとともに、４５℃以上ではアリルイソチオシアネートの放出を完全に抑制し、３０℃以下では再度アリルイソチオシアネートの放出が可能な温度応答性を有した揮散性薬剤徐放装置を提供できた。
【００４２】
（実施例４）
図２４は本実施例を示す揮散性薬剤徐放装置の上面外観図であり、図２５は揮散性薬剤徐放装置Ｇ−Ｇ´ラインの側面断面構成図であり、図２６は揮散性薬剤徐放装置Ｈ−Ｈ´ラインの側面断面構成図であり、薬剤の徐放状態を表している。また図２７は本実施例を示す揮散性薬剤徐放装置の上面外観図であり、図２８は揮散性薬剤徐放装置Ｇ−Ｇ´ラインの側面断面構成図であり、図２９は揮散性薬剤徐放装置Ｈ−Ｈ´ラインの側面断面構成図であり、共に薬剤の放出抑制状態を表している。５７は薬剤となるアリルイソチオシアネートを吸収して膨潤したポリウレタン連続多孔質体であり、実施例１と同じものを使用した。５８はポリウレタン連続多孔質体５７の外装となるラミネートフィルムのピロー包装体であり、実施例１と同じものを使用した。５９はそれを充填するための半透明なポリプロピレン、厚み２mmからなる内側本体容器であり、射出成形にて加工した。容器の内寸法は７１×４３×１５mmである。６０は内側本体容器５９に対する内蓋であり、これも半透明なポリプロピレン、厚み２mmからなり、内蓋６０の中央部には大きな窓があり、その大きな窓に対して十文字にリブ６１が形成され、内蓋６０の表面側中央部には６５×３７mmの湿度感受性６２が配置され、リブ６１によってポリウレタン連続多孔質体５７を内側本体容器５９の底面部に位置固定するとともに湿度感受性膜６２に対する補強の役目を果たしている。湿度感受性膜６２は実施例１と同じものを使用した。湿度感受性膜６２の外周部は内蓋６０にポリエチレン側をヒートシールで溶着接合されている。ヒートシール巾は５mmである。内側本体容器５９と内蓋６０とは超音波接合によって接合されている。６３はピロー包装体５８と内側本体容器５９と内蓋６０とで形成される空間部である。６４は固定シャッター部となる厚み４mmのポリエチレンテレフタレート板であり、開口窓６４ａが等間隔で配設され、湿度感受性膜６２の上面へ接着されている。また固定シャッター部６４上の開口窓６４ａ周囲にはガスシール部材６５してナイロン６６製パッキン巾１mm、厚み０．５mmが配設されている。６６は内側本体容器５９が収納される外側本体容器であり、半透明なポリプロピレン、厚み２mmからなり、射出成形にて加工した。容器の内寸法は９９×４８×２３mmである。６７は外側本体容器６６に対する外蓋であり、これも半透明なポリプロピレン、厚み２mmからなり、外蓋６７略中央部には６７×３９mmの開口部６７ａが配置されている。６８は可動シャッター部となるアルミニウム板、厚さ０．４mmである。また可動シャッター部６８の左端には可動シャッター部の左右方向への動きを誘導するとともに移動量を規制できる支持部６９が配置されている。具体的には４７×６mm厚さ２mmのポリエチレンテレフタレート板である。右端には連結軸７０を介して可動支持軸７１に接合された支持部７２と連結されている。支持部７２も４７×６mm厚さ２mmのポリエチレンテレフタレート板である。可動支持軸７１は固定支持軸７３の内側へ配置され、固定支持軸７３は外蓋６７と垂直方向に接着固定されている。線バネ７４は固定支持軸７３の左側に位置し、可動支持軸７１の右側に位置している。また形状記憶線バネ７５は固定支持軸７３の右側に位置し、��動支持軸７１の左側に位置している。形状記憶線バネ６２として母相とＲ相（Ｒｈｏｍｂｏｈｅｄｒａｌ、菱面体晶）とで変態を生ずるものを使用した。そのため加熱時の変態終了温度は４０℃であり、冷却時の変態終了温度は３６℃である。
【００４３】
揮散性薬剤徐放装置の徐放機構について説明する。まず３６℃以下では線バネ７４のバネ力が形状記憶線バネ７５よりも勝っているため可動シャッター部６８となるアルミニウム板は図２４と２６で示すように左側に位置している。線バネ７４と形状記憶線バネ７５の作用によって可動支持軸７１が左側に位置し、可動支持軸７１に接合された支持部７２から連結軸７０を介して可動シャッター部６８を左側へと押されたことになる。この時、支持部６９が外側本体容器６６の内面側壁に衝突して停止することで可動シャッター部６８の移動位置が規制されている。また固定シャッター部６４に配設された開口窓６４ａと可動シャッター部６８に配設された開口窓６８ａとは上下に重なり合った場所に位置している。その結果内側本体容器５９からのアリルイソチオシアネート放出を妨げない。ポリウレタン連続多孔質体５７から揮散したアリルイソチオシアネート蒸気は透過制御膜５８と湿度感受性膜６２で透過量を規制されながら一定量を徐放させることができた。
【００４４】
しかし、３７℃過ぎ付近から形状記憶線バネ７５のＲ相から母相への変態が始まり４０℃では変態が終了して今度が形状記憶線バネ７５のバネ力が線バネ７４よりも勝るようになる。その結果可動シャッター部６８となるアルミニウム板は図２７と２９で示すように形状記憶線バネ７５のバネ力によって可動支持軸７１を右方向へ移動させる力が働く。線バネ７４と形状記憶線バネ７５の作用によって可動支持軸７１が右側に位置し、可動支持軸７１に接合された支持部７２から連結軸７０を介して可動シャッター部６８を右側へと引っ張ることになる。線バネ７４のバネ力によって可動シャッター部６８が引っ張られる時、支持部６９が固定シャッター部６４の側壁に衝突して停止することで可動シャッター部６８の位置が規制されている。この時固定シャッター部６４に配設された開口窓６４ａと可動シャッター部６８に配設された開口窓６８ａとは上下に互いオーバーラップしない構造とすることで内側本体容器５９内部からアリルイソチオシアネート放出は完全に抑制される。したがって固定シャッター部６４に配設された開口窓６４ａの横巾よりも可動シャッター部６８に配設された開口窓６８ａの間隔巾ほうが大きい関係とすることによって可動シャッター部６８の移動距離によって固定シャッター部６４に配設された開口窓６４ａが完全に封止される。
【００４５】
また外部環境温度が徐々に低下してき、３９℃過ぎ付近から形状記憶線バネ７５の母相からＲ相への変態が始まり３６℃では変態が終了して再度が線バネ７４のバネ力が形状記憶線バネ７５よりも勝るようになるため可動シャッター部６８が右から左方向へ移動して内側本体容器５９からのアリルイソチオシアネートが徐放される。このように可動シャッター部６８は非常に小さな温度ヒステリシスを有しながら左右方向へスライド動作するが、この時支持部６９および可動シャッター部６８の外寸法を外側本体容器６６の内壁寸法および外蓋６７の下面に対して０．５mm程度のクリアランスをとることで可動シャッター部６８が左右にスライド移動する方向を誘導させることができた。図１６に本実施例で使用した形状記憶線バネの定荷重試験による温度−ひずみ曲線を示した。形状記憶線バネは母相とＲ相とで変態を繰り返すことで温度の昇降に対する温度ヒステリシスを極めて小さくすることができた。その結果ほぼ所定の温度以上では薬剤の徐放を停止させ、所定の温度以下では薬剤の徐放を継続できる揮散性薬剤徐放装置が可能となった。
【００４６】
本実施例で得られた揮散性薬剤徐放装置を実施例１と同様な自動車用カーエアコンの防カビ装置として使用した。冷房運転停止時にはエバポレートの結露水が再蒸発することによって送風回路内部の湿度を上昇させるためにカビが発生しやすい雰囲気となる。しかしこの時揮散性薬剤徐放装置によって湿度感受性膜から低濃度のアリルイソチオシアネートを徐放することで防カビ性能を発揮できた。また夏場にも４０℃以上では可動シャッター部と固定シャッター部で薬剤の放出を抑制でき、３６℃以下では再度徐放状態へと復帰させることができた。温度ヒステリシスも小さいので、薬剤を目論見通り、有効に放出可能となった。
【００４７】
実施例ではもっぱら線バネと形状記憶線バネを使用して説明したが、板バネと形状記憶板板バネとを組み合わせて可動シャッター機構を構成することも本発明として可能である。また線バネと形状記憶板板バネあるいは板バネと形状記憶板線バネを組み合わせることも可能である。それぞれのバネ力を考慮して最適な組合せを選択すればよい。
【００４８】
実施例では固定シャッター部あるいは可動シャッター部の材料としてポリエチレンテレフタレート板、アルミニウム板を使用したが、本発明で使用できるものはこの限りではない。固定シャッター部あるいは可動シャッター部の厚みが厚い場合には樹脂製の板でよいが、薄い場合にはガスバリヤー性に優れた材料が好ましい。たとえば金属製の板、アルミニウムを内層したラミネート板等が使用できる。ラミネート板についても内層する金属としてアルミニウム以外の材料を選択することも可能である。
【００４９】
実施例ではガスシール部材を可動シャッター部と固定シャッター部との間に適用した場合について説明したが、可動シャッター部部分と固定シャッター部部分とで重なり合う面積が小さく、かつガスバリア性も向上させたい時にはガスシール部材が有効となる。しかし可動シャッター部部分と固定シャッター部部分とで重なり合う面積が十分あり、それで薬剤の放出を構造的に抑制できている場合にはガスシール部材は不要となる。たとえば可動シャッター部が上下方向へ動作する場合には重なり合う面積を十分にとることでそれが可能となる。またガスシール部材として独立気泡を有するポリプロピレン、ポリエチレン、超高分子量ポリエチレン、ナイロン６６を使用したが本発明で使用できるものはこの限りではない。例えば可動シャッター部が上下方向に動作する場合には弾性を有するガスシール部材を使用することでガスバリア性を高めることができ、そのためにはガスシール部材内部に３０ｖｏｌ％以上の独立気泡を有しているものが好ましかった。また可動シャッター部が左右方向にスライド動作する場合には摺動特性が重視され、表面粗さが小さく、すべり性の良好な樹脂材料が好ましかった。たとえばその他にポリプロピレン、ポリエチレンテレフタレートを使用することができた。
【００５０】
実施例では薬剤を充填する容器としてポリプロピレン樹脂を使用したが、本発明で使用できるものはこの限りではない。この他に充填する薬剤との耐薬品性を鑑みて問題のない材料を選択すればよい。
【００５１】
実施例では薬剤を液体吸収体に吸収させて使用したり、固形高分子材料と混合させてタブレット状態として使用したが、本発明で使用できる形態はこの限りではない。薬剤を容器内部へ充填している構成のものであればよい。しかし揮散性薬剤徐放装置としての物流を考慮すると液体の薬剤が外部へ流出しないように考慮する必要がある。
【００５２】
実施例では薬剤を充填する容器の開口部へ透過量制御膜あるいは湿度感受性膜を配設した場合について説明したが、本発明では容器に開口部だけを配設したものも含まれる。開口部に固定シャッター部と可動シャッター部で可動シャッター機構を構成し、容器内部には薬剤をタブレット化させて配置させることで物流での薬剤流出を防止することができる。
【００５３】
実施例では専らアリルイソチオシアネートを使用したが、本発明で使用できるものはこの限りではない。芳香剤としてラベンダー油、ローズマリー油等のエッセンシャルオイルを使用することもできる。またティーツリー油、ユーカリ油等を使用して低濃度の揮散量にて抗菌、防カビ効果を得ることもできる。
【００５４】
【発明の効果】
上記実施例から明らかなように、請求項１記載の発明によれば、所定の温度以下では線バネあるいは板バネのバネ力が形状記憶線バネあるいは形状記憶板バネのバネ力より勝り、所定の温度以上では形状記憶線バネあるいは形状記憶板バネのバネ力が線バネあるいは板バネのバネ力より勝るように構成することで、形状記憶線バネあるいは形状記憶板バネと、線バネあるいは板バネと、可動シャッター部とで構成される可動式シャッター機構とすることが可能となる。その結果内部に防カビ性、芳香性等を有する揮散性薬剤を充填した容器から薬剤の必要な時に必要量を徐放させる有効な活用が図れ、薬剤の長寿命化に貢献できた。また不必要な薬剤放出によって利用者へ不快感を与えるようなこともなくなった。
【００５７】
さらに、可動式シャッター機構として薬剤が充填された容器の開口部面あるいは透過量制御膜面と平行関係に固定支持軸と可動支持軸が配設され、形状記憶線バネあるいは形状記憶板バネと線バネあるいは板バネとの組合せで、温度域によって低温では線バネあるいは板バネのバネ力が勝り、高温では形状記憶線バネあるいは形状記憶板バネのバネ力が勝ることを利用して可動シャッター部を上から下方向へ動作させ、内側本体容器の開口部あるいは薬剤の透過量制御膜部を完全に封止することができた。その結果、形状記憶線バネあるいは形状記憶板バネの十分なバネ力によって薬剤を高温域では十分に放出抑制する揮散性薬剤徐放装置を提供することができた。
【００５８】
請求項２記載の発明によれば、可動式シャッター機構として薬剤が充填された容器の開口部面あるいは透過量制御膜面と平行関係に固定支持軸と可動支持軸が配設され、形状記憶線バネあるいは形状記憶板バネと線バネあるいは板バネとの組合せで、温度域によって低温では線バネあるいは板バネのバネ力が勝り、高温では形状記憶線バネあるいは形状記憶板バネのバネ力が勝ることを利用して可動シャッター部を下から上方向へ動作させ、外側本体容器の開口部あるいは固定シャッター部の開口窓を完全に封止することができた。その結果、形状記憶線バネあるいは形状記憶板バネの十分なバネ力によって薬剤を高温域では十分に放出抑制する揮散性薬剤徐放装置を提供することができた。
【００５９】
請求項３記載の発明によれば、可動式シャッター機構として薬剤が充填された容器の開口部面あるいは透過量制御膜面と垂直関係に固定支持軸と可動支持軸が配設され、可動支持軸は連結軸を介して可動シャッター部に固定支持され、形状記憶線バネあるいは形状記憶板バネと線バネあるいは板バネとの組合せで、温度域によって低温では線バネあるいは板バネのバネ力が勝り、高温では形状記憶線バネあるいは形状記憶板バネのバネ力が勝ることを利用して可動シャッター部を左から右方向へあるいは右から左方向へ動作させることができ、可動シャッター部の構成による移動距離を最適化することで開から閉状態に設計することができた。その結果、薬剤を高温では十分に放出抑制する揮散性薬剤徐放装置を提供することができた。
【００６０】
請求項４記載の発明によれば、可動シャッター部と開口部との間あるいは可動シャッター部と透過量制御膜との間に固定シャッター部が配設され、固定シャッター部と可動シャッター部には共に開口窓が配設され、可動シャッター部の開口窓部分が上下方向あるいは左右方向へ動作させることで薬剤を徐放させる部分を開閉できた。その時形状記憶線バネあるいは形状記憶板バネのバネ作用による可動シャッター部の移動距離を小さくしながら、揮散性薬剤の徐放に必要な開放部を十分大きく設計することができた。
【００６１】
請求項５記載の発明によれば、可動支持軸に対して、線バネあるいは板バネと形状記憶線バネあるいは形状記憶板バネとが接する部分に溝形状の凹部を設けることで形状記憶線バネあるいは形状記憶板バネと線バネあるいは板バネとのバネ作用で温度変化による繰り返しサイクルにも位置ズレを起こすことなく、十分対応できる構成となった。
【００６２】
請求項６記載の発明によれば、可動シャッター部の端部に支持部が配設され、形状記憶線バネあるいは形状記憶板バネと線バネあるいは板バネの作用によって可動シャッター部が動作する時の移動距離を規制する構成とする、すなわち支持部が外側容器の内側壁面あるいは固定シャッター部の側壁面に衝突することでストッパー機能として働くように構成しておけば、形状記憶線バネあるいは形状記憶板バネのバネ力が勝ったり、線バネあるいは板バネのバネ力が勝ったりすることで左右方向へ動作する時、可動シャッター部の開口窓と固定シャッター部の開口窓との関係を維持する位置決めを正確に行うことができた。
【００６３】
請求項７記載の発明によれば、可動シャッター部に開口窓が等間隔で設けられ、開口窓の間隔巾が固定シャッター部に設けられた開口窓よりも大きいことで、可動シャッター部が移動した時、固定シャッター部と重なり合うオーバーラップ部分を確実に設けることができ、その結果高温では閉状態にて薬剤を十分に放出抑制する揮散性薬剤徐放装置を提供することができた。
【００６７】
請求項８記載の発明によれば、透過量制御膜として湿度感受性膜を使用することで高湿状況下において防カビ性を十分に発揮させることができるとともに、低湿状況下では揮散性薬剤の不必要な放出量を十分に規制する、湿度応答性を付与することが可能であった。
【００６８】
請求項９記載の発明によれば、アリルイソチオシアネート、ティーツリー油、ユーカリ油を薬剤とすることで天然成分を利用した、低濃度による、環境にやさしい抗菌、防カビ効果を提供できた。
【００６９】
請求項１０記載の発明によれば、湿度感受性膜としてビスコース加工紙を含んでなるラミネート構造を使用することで湿度に対して鋭敏な湿度感受性の膜を提供でき、高湿時に膜の膨潤によって防カビ性を有する薬剤を有効に徐放でき、低湿時には膜が緻密化して薬剤の放出を十分に抑制できた。
【００７０】
請求項１１記載の発明によれば、形状記憶線バネあるいは形状記憶板バネに対してバネ特性が母相とＲ相との繰り返し変態によって制御できるような材料を選択することによって、温度ヒステリシスが１〜２℃程度の非常に小さなものを得ることができた。その結果、より低温から揮散性薬剤の放出を抑制できる徐放装置を提供可能となり、薬剤の有効利用、長寿命化が可能となった。
【図面の簡単な説明】
【図１】実施例１の揮散性薬剤徐放装置においる上面外観図
【図２】実施例１における揮散性薬剤徐放装置の可動シャッター機構が開状態となった場合のＡ−Ａ´ラインに対する側面断面構成図
【図３】実施例１における揮散性薬剤徐放装置の可動シャッター機構が開状態となった場合のＢ−Ｂ´ラインに対する側面断面構成図
【図４】実施例１における揮散性薬剤徐放装置の可動シャッター機構が閉状態となった場合のＡ−Ａ´ラインに対する側面断面構成図
【図５】実施例１における揮散性薬剤徐放装置の可動シャッター機構が閉状態となった場合のＢ−Ｂ´ラインに対する側面断面構成図
【図６】実施例１における揮散性薬剤徐放装置の可動シャッター機構として可動シャッター部、可動支持軸、固定支持軸、線バネと形状記憶線バネとの構成を示すための上面外観図
【図７】実施例１における揮散性薬剤徐放装置の可動シャッター機構として動作機構を説明する斜視図
【図８】実施例１における揮散性薬剤徐放装置の可動支持軸における要部拡大断面図
【図９】実施例１の形状記憶線バネの定荷重試験による温度−ひずみ曲線図
【図１０】実施例１の揮散性薬剤徐放装置をカーエアコンの送風回路に使用した概略構成図
【図１１】実施例２の揮散性薬剤徐放装置においる上面外観図
【図１２】実施例２における揮散性薬剤徐放装置の可動シャッター機構が開状態となった場合のＣ−Ｃ´ラインに対する側面断面構成図
【図１３】実施例２における揮散性薬剤徐放装置の可動シャッター機構が開状態となった場合のＤ−Ｄ´ラインに対する側面断面構成図
【図１４】実施例２における揮散性薬剤徐放装置の可動シャッター機構が閉状態となった場合のＣ−Ｃ´ラインに対する側面断面構成図
【図１５】実施例２における揮散性薬剤徐放装置の可動シャッター機構が閉状態となった場合のＤ−Ｄ´ラインに対する側面断面構成図
【図１６】実施例２における揮散性薬剤徐放装置の可動シャッター機構として可動シャッター部、可動支持軸、固定支持軸、線バネと形状記憶線バネとの構成を示すための上面外観図
【図１７】実施例２における揮散性薬剤徐放装置の可動シャッター機構として動作機構を説明する斜視図
【図１８】実施例３における揮散性薬剤徐放装置の可動シャッター機構が開状態となった場合の上面外観図
【図１９】実施例３における揮散性薬剤徐放装置の可動シャッター機構が開状態となった場合のＥ−Ｅ´ラインに対する側面断面構成図
【図２０】実施例３における揮散性薬剤徐放装置の可動シャッター機構が開状態となった場合のＦ−Ｆ´ラインに対する側面断面構成図
【図２１】実施例３における揮散性薬剤徐放装置の可動シャッター機構が閉状態となった場合の上面外観図
【図２２】実施例３における揮散性薬剤徐放装置の可動シャッター機構が閉状態となった場合のＥ−Ｅ´ラインに対する側面断面構成図
【図２３】実施例３における揮散性薬剤徐放装置の可動シャッター機構が閉状態となった場合のＦ−Ｆ´ラインに対する側面断面構成図
【図２４】実施例４における揮散性薬剤徐放装置の可動シャッター機構が開状態となった場合の上面外観図
【図２５】実施例４における揮散性薬剤徐放装置の可動シャッター機構が開状態となった場合のＧ−Ｇ´ラインに対する側面断面構成図
【図２６】実施例４における揮散性薬剤徐放装置の可動シャッター機構が開状態となった場合のＨ−Ｈ´ラインに対する側面断面構成図
【図２７】実施例４における揮散性薬剤徐放装置の可動シャッター機構が閉状態となった場合の上面外観図
【図２８】実施例４における揮散性薬剤徐放装置の可動シャッター機構が閉状態となった場合のＧ−Ｇ´ラインに対する側面断面構成図
【図２９】実施例４における揮散性薬剤徐放装置の可動シャッター機構が閉状態となった場合のＨ−Ｈ´ラインに対する側面断面構成図
【図３０】実施例４の形状記憶線バネの定荷重試験による温度−ひずみ曲線図
【符号の説明】
１  ポリウレタン連続多孔質体
２  ピロー包装体
３  内側本体容器
４  内蓋
５  リブ
６  湿度感受性膜
７  空間部
８  固定シャッター部
９  ガスシール部材
１０  外側本体容器
１１  外蓋
１２  固定支持軸
１３  可動支持軸
１４  線バネ
１５  形状記憶線バネ
１６  可動シャッター部
１７  ブロワーファン
１８  エバポレータ
１９  集塵フィルター
２０  揮散性薬剤徐放装置
２１  ヒータコア
２２  エアミックスドア
２３  タブレット
２４  ピロー包装体
２５  内側本体容器
２６  内蓋
２７  リブ
２８  湿度感受性膜
２９  空間部
３０  外側本体容器
３１  外蓋
３２  ガスシール部材
３３  固定支持軸
３４  可動支持軸
３５  線バネ
３６  形状記憶線バネ
３７  可動シャッター部
３８  ポリウレタン連続多孔質体
３９  ピロー包装体
４０  内側本体容器
４１  内蓋
４２  リブ
４３  透過制御膜
４４  空間部
４５  固定シャッター部
４６  ガスシール部材
４７  外側本体容器
４８  外蓋
４９  可動シャッター部
５０  支持部
５１  連結軸
５２  可動支持軸
５３  支持部
５４  固定支持軸
５５  線バネ
５６  形状記憶線バネ
５７  ポリウレタン連続多孔質体
５８  ピロー包装体
５９  内側本体容器
６０  内蓋
６１  リブ
６２  湿度感受性膜
６３  空間部
６４  固定シャッター部
６５  ガスシール部材
６６  外側本体容器
６７  外蓋
６８  可動シャッター部
６９  支持部
７０  連結軸
７１  可動支持軸
７２  支持部
７３  定支持軸
７４  線バネ
７５  形状記憶線バネ
【図１】
0004265150.tif 000002
【図２】
0004265150.tif 000003
【図３】
0004265150.tif 000004
【図４】
0004265150.tif 000005
【図５】
0004265150.tif 000006
【図６】
0004265150.tif 000007
【図７】
0004265150.tif 000008
【図８】
0004265150.tif 000009
【図９】
0004265150.tif 000010
【図１０】
0004265150.tif 000011
【図１１】
0004265150.tif 000012
【図１２】
0004265150.tif 000013
【図１３】
0004265150.tif 000014
【図１４】
0004265150.tif 000015
【図１５】
0004265150.tif 000016
【図１６】
0004265150.tif 000017
【図１７】
0004265150.tif 000018
【図１８】
0004265150.tif 000019
【図１９】
0004265150.tif 000020
【図２０】
0004265150.tif 000021
【図２１】
0004265150.tif 000022
【図２２】
0004265150.tif 000023
【図２３】
0004265150.tif 000024
【図２４】
0004265150.tif 000025
【図２５】
0004265150.tif 000026
【図２６】
0004265150.tif 000027
【図２７】
0004265150.tif 000028
【図２８】
0004265150.tif 000029
【図２９】
0004265150.tif 000030
【図３０】
0004265150.tif 000031